(57)【要約】【課題】簡易な仕組みでブラウザ端末に代わって入力を行うことができ、セキュリティを向上させたＷｅｂページへの入力方法、Ｗｅｂサーバ及びＷｅｂシステムを提供すること。【解決手段】Ｗｅｂ端末２に表示されたＷｅｂページに対する入力を携帯電話機３が行う方法は、制御部３０が、Ｗｅｂ端末２のデバイスＩＤとＷｅｂページのＵＲＬ及び入力に関する情報とを取得し、取得した入力に関する情報に対応する入力支援項目を表示して入力を受け付け、受け付けた入力情報とデバイスＩＤとをＵＲＬが示すＷｅｂサーバ１に対して送信し、制御部１０が、デバイスＩＤとＩＰアドレスとを対応付けた対応テーブル１７を参照して、携帯電話機３から受信したデバイスＩＤに基づいてＷｅｂ端末２のＩＰアドレスを特定し、携帯電話機３から受信した入力情報に基づいて入力後のＷｅｂページを生成して特定したＷｅｂ端末２のＩＰアドレスに対して送信する。【選択図】図１
2010250740.tif 000002
【特許請求の範囲】
【請求項１】
ブラウザ端末に表示されたＷｅｂページに対する入力を、前記ブラウザ端末とは異なる情報通信端末によって行うＷｅｂページへの入力方法であって、
前記情報通信端末の制御部が、前記ブラウザ端末を特定する端末特定コードと前記ＷｅｂページのＵＲＬと前記Ｗｅｂページの入力に関する情報とを取得する情報取得ステップと、
前記情報通信端末の制御部が、前記情報取得ステップによって取得した前記入力に関する情報に対応する入力支援項目を表示する表示制御ステップと、
前記情報通信端末の制御部が、前記表示制御ステップによって表示された前記入力支援項目に対応する入力を受け付ける入力受付ステップと、
前記情報通信端末の制御部が、前記入力受付ステップによって受け付けた前記入力支援項目に対応する入力情報と、前記情報取得ステップによって取得した前記端末特定コードとを、前記情報取得ステップによって取得した前記ＵＲＬが示すＷｅｂサーバに対して送信する情報送信ステップと、
前記Ｗｅｂサーバの制御部が、前記端末特定コードと前記ブラウザ端末の宛先情報とを対応付けた対応テーブルを参照して、前記情報通信端末から受信した前記端末特定コードに基づいて、前記ブラウザ端末の宛先を特定する宛先特定ステップと、
前記Ｗｅｂサーバの制御部が、前記情報通信端末から受信した前記入力情報に基づいて入力後のＷｅｂページを生成して、前記宛先特定ステップによって特定した前記ブラウザ端末の宛先に対して前記入力後のＷｅｂページを送信するＷｅｂページ送信ステップと、
を含むＷｅｂページへの入力方法。
【請求項２】
前記情報通信端末の制御部が、前記情報取得ステップによって取得した前記ＵＲＬが示す前記Ｗｅｂサーバに対して前記情報通信端末のユーザを特定するユーザ特定情報を送信する認証依頼ステップと、
前記Ｗｅｂサーバの制御部が、前記情報通信端末から受信した前記ユーザ特定情報に基づいてユーザ認証を行い、認証結果を前記情報通信端末に対して送信する認証結果送信ステップと、
を含み、
前記情報送信ステップにおいて、前記情報通信端末の制御部が、前記Ｗｅｂサーバから受信した前記認証結果が認証成功である場合に、前記入力受付ステップによって受け付けた前記入力支援項目に対応する入力情報と、前記情報取得ステップによって取得した前記端末特定コードとを、前記情報取得ステップによって取得した前記ＵＲＬが示す前記Ｗｅｂサーバに対して送信し、
前記宛先特定ステップにおいて、前記Ｗｅｂサーバの制御部が、前記情報通信端末から受信した前記ユーザ特定情報と、前記端末特定コードとに基づき、前記ブラウザ端末の宛先を特定する、
請求項１に記載のＷｅｂページへの入力方法。
【請求項３】
前記取得するステップが、前記情報通信端末の読み取り部に前記ブラウザ端末に表示された前記Ｗｅｂページが有するコード情報を読み取らせて、前記端末特定コードと前記ＵＲＬと前記入力に関する情報とを取得する、
請求項１又は請求項２に記載のＷｅｂページへの入力方法。
【請求項４】
前記取得するステップが、通信ネットワークを介して接続された前記ブラウザ端末から通信によって、前記端末特定コードと前記ＵＲＬと前記入力に関する情報とを取得する、
請求項１又は請求項２に記載のＷｅｂページへの入力方法。
【請求項５】
前記取得するステップが、前記情報通信端末の読み取り部に前記ブラウザ端末に表示された前記Ｗｅｂページが有するコード情報を読み取らせて前記端末特定コードと前記ＵＲＬとを取得し、さらに取得した前記ＵＲＬが示す前記Ｗｅｂサーバに接続して前記入力に関する情報を取得する、
請求項１又は請求項２に記載のＷｅｂページへの入力方法。
【請求項６】
前記取得するステップが、通信ネットワークを介して接続された前記ブラウザ端末から通信によって前記端末特定コードと前記ＵＲＬとを取得し、さらに取得した前記ＵＲＬが示す前記Ｗｅｂサーバに接続して前記入力に関する情報を取得する、
請求項１又は請求項２に記載のＷｅｂページへの入力方法。
【請求項７】
Ｗｅｂページを表示するブラウザ端末と、情報通信端末とに対して通信可能に接続され、Ｗｅｂページの情報を記憶するＷｅｂサーバであって、
前記ブラウザ端末を特定する端末特定コードと、前記ブラウザ端末の宛先情報とを対応付けて記憶した記憶手段と、
ユーザからの入力を受付可能な所定のＷｅｂページの要求データを前記ブラウザ端末から受信したことに応じて、前記ブラウザ端末を特定する端末特定コードと、前記情報通信端末で前記入力を受け付けさせるＷｅｂページのＵＲＬとを含む情報付きＷｅｂページを生成する情報付きＷｅｂページ生成手段と、
前記情報付きＷｅｂページ生成手段により生成された前記情報付きＷｅｂページを前記ブラウザ端末に送信する情報付きＷｅｂページ送信手段と、
前記入力を受け付けさせるＷｅｂページのＵＲＬに接続した前記情報通信端末から、前記端末特定コードと、前記Ｗｅｂページで入力された入力情報とを受信する受信手段と、
前記受信手段により受信した前記端末特定コードに基づいて前記記憶手段を参照して対応する前記ブラウザ端末の宛先情報から前記ブラウザ端末の宛先を特定する宛先特定手段と、
前記受信手段により受信した前記入力情報に基づいて入力後のＷｅｂページを生成して、前記宛先特定手段により特定した前記ブラウザ端末の宛先に対して前記入力後のＷｅｂページを送信するＷｅｂページ送信手段と、
を備えるＷｅｂサーバ。
【請求項８】
Ｗｅｂページを表示するブラウザ端末と、情報通信端末とが、前記Ｗｅｂページを前記ブラウザ端末に送信するＷｅｂサーバに対して通信可能に接続されたＷｅｂシステムであって、
前記ブラウザ端末は、入力に関する情報を有する前記Ｗｅｂページを表示する表示手段を備え、
前記情報通信端末は、
前記ブラウザ端末を特定する端末特定コードと前記ＷｅｂページのＵＲＬと前記入力に関する情報とを前記ブラウザ端末から取得する情報取得手段と、
前記情報取得手段により取得した前記入力に関する情報に対応する入力支援項目を表示する表示手段と、
前記表示手段に表示された前記入力支援項目に対応する入力を受け付ける入力受付手段と、
前記入力受付手段により受け付けた前記入力支援項目に対応する入力情報と、前記情報取得手段により取得した前記端末特定コードとを、前記情報取得手段により取得した前記ＵＲＬが示す前記Ｗｅｂサーバに送信する情報送信手段と、
を備え、
前記Ｗｅｂサーバは、
前記端末特定コードと、前記ブラウザ端末の宛先情報とを対応付けて記憶した記憶手段と、
前記情報通信端末から受信した前記端末特定コードに基づいて前記記憶手段を参照して対応する前記ブラウザ端末の宛先情報から前記ブラウザ端末の宛先を特定する宛先特定手段と、
前記情報通信端末から受信した前記入力情報に基づいて入力後のＷｅｂページを生成して、前記宛先特定手段により特定した前記ブラウザ端末の宛先に対して前記入力後のＷｅｂページを送信するＷｅｂページ送信手段と、
を備えるＷｅｂシステム。
【発明の詳細な説明】
【技術分野】
【０００１】
本発明は、Ｗｅｂページへの入力方法、Ｗｅｂサーバ及びＷｅｂシステムに関する。
【背景技術】
【０００２】
従来、異なる入力環境からの入力情報を複合できるようなデータの入力方法が開示されている（例えば、特許文献１）。
【先行技術文献】
【特許文献】
【０００３】
【特許文献１】特開２００１−３５０９２６号公報
【発明の概要】
【発明が解決しようとする課題】
【０００４】
特許文献１に記載のデータ入力方法は、諸般の事情により特定の情報を一括で入力できない場合等に、複数の情報入力装置を利用して入力するものであった。これは、一の情報入力装置を特定するための識別情報を付与して、その識別情報を他の情報入力装置から入力させることで、情報を対応付けるものであり、複数の装置での入力タイミングが異なる場合を考慮したものであった。また、入力のためのページは、予め複数の情報入力装置からの入力を想定して作られている必要があった。
【０００５】
今般、Ｗｅｂブラウザが内蔵された、例えば、リビングに設置して用いるテレビ等のブラウザ端末では、キーボード等の入力装置とディスプレイ等の表示装置とが離れた場所に設置される場合が少なからずある。また、ブラウザ端末を家族が集まる場所等、複数人が見る環境に設置された場合には、入力した情報を、その場に居合わせた人に見られることがあった。さらに、ブラウザ端末を複数人で共同で用いる場合には、１人のユーザが入力した情報を、他のユーザが後から履歴として取得したりできたりするという、セキュリティの問題があった。
【０００６】
本発明は、簡易な仕組みでブラウザ端末に代わって入力を行うことができ、セキュリティを向上させたＷｅｂページへの入力方法、Ｗｅｂサーバ及びＷｅｂシステムを提供することを目的とする。
【課題を解決するための手段】
【０００７】
本発明者らは、携帯電話機等のユーザが使い慣れた情報通信端末をブラウザ端末の入力デバイスとして用いることで、Ｗｅｂページの入力を行う方法を見出し、本発明を完成するに至った。
【０００８】
（１）  ブラウザ端末に表示されたＷｅｂページに対する入力を、前記ブラウザ端末とは異なる情報通信端末によって行うＷｅｂページへの入力方法であって、
前記情報通信端末の制御部が、前記ブラウザ端末を特定する端末特定コードと前記ＷｅｂページのＵＲＬと前記Ｗｅｂページの入力に関する情報とを取得する情報取得ステップと、
前記情報通信端末の制御部が、前記情報取得ステップによって取得した前記入力に関する情報に対応する入力支援項目を表示する表示制御ステップと、
前記情報通信端末の制御部が、前記表示制御ステップによって表示された前記入力支援項目に対応する入力を受け付ける入力受付ステップと、
前記情報通信端末の制御部が、前記入力受付ステップによって受け付けた前記入力支援項目に対応する入力情報と、前記情報取得ステップによって取得した前記端末特定コードとを、前記情報取得ステップによって取得した前記ＵＲＬが示すＷｅｂサーバに対して送信する情報送信ステップと、
前記Ｗｅｂサーバの制御部が、前記端末特定コードと前記ブラウザ端末の宛先情報とを対応付けた対応テーブルを参照して、前記情報通信端末から受信した前記端末特定コードに基づいて、前記ブラウザ端末の宛先を特定する宛先特定ステップと、
前記Ｗｅｂサーバの制御部が、前記情報通信端末から受信した前記入力情報に基づいて入力後のＷｅｂページを生成して、前記宛先特定ステップによって特定した前記ブラウザ端末の宛先に対して前記入力後のＷｅｂページを送信するＷｅｂページ送信ステップと、
を含むＷｅｂページへの入力方法。
【０００９】
本発明のこのような構成によれば、情報通信端末が、ブラウザ端末を特定する端末特定コードとブラウザ端末に表示されたＷｅｂページのＵＲＬ（Ｕｎｉｆｏｒｍ  Ｒｅｓｏｕｒｃｅ  Ｌｏｃａｔｏｒ）とＷｅｂページの入力に関する情報とを取得するという簡易な仕組みで、その情報を用いて情報通信端末とＷｅｂサーバとの間で通信を行い、入力後のＷｅｂページをブラウザ端末に出力できる。よって、ブラウザ端末で入力せず、情報通信端末で入力することで、その入力結果がブラウザ端末に表示されるという、新しい入力方法を提供できる。ブラウザ端末で入力しないので、入力された文字を記録して悪用するキーロガーに対する対策として有用である。また、情報通信端末で入力するので、情報通信端末の入力インタフェースに慣れたユーザにとって、入力を容易にできる。
【００１０】
（２）  前記情報通信端末の制御部が、前記情報取得ステップによって取得した前記ＵＲＬが示す前記Ｗｅｂサーバに対して前記情報通信端末のユーザを特定するユーザ特定情報を送信する認証依頼ステップと、
前記Ｗｅｂサーバの制御部が、前記情報通信端末から受信した前記ユーザ特定情報に基づいてユーザ認証を行い、認証結果を前記情報通信端末に対して送信する認証結果送信ステップと、
を含み、
前記情報送信ステップにおいて、前記情報通信端末の制御部が、前記Ｗｅｂサーバから受信した前記認証結果が認証成功である場合に、前記入力受付ステップによって受け付けた前記入力支援項目に対応する入力情報と、前記情報取得ステップによって取得した前記端末特定コードとを、前記情報取得ステップによって取得した前記ＵＲＬが示す前記Ｗｅｂサーバに対して送信し、
前記宛先特定ステップにおいて、前記Ｗｅｂサーバの制御部が、前記情報通信端末から受信した前記ユーザ特定情報と、前記端末特定コードとに基づき、前記ブラウザ端末の宛先を特定する、
（１）に記載のＷｅｂページへの入力方法。
【００１１】
本発明のこのような構成によれば、情報通信端末とＷｅｂサーバとの間でユーザ認証を行い、認証結果が認証成功である場合に、情報通信端末がブラウザ端末に代わって入力を行う。よって、認証が成功したユーザのみが、情報通信端末から入力を代行できるので、セキュリティの向上した入力方法を提供できる。また、対応テーブルにユーザ特定情報を含むので、ユーザ登録されたデバイスのみの入力を代行することができる。
【００１２】
（３）  前記取得するステップが、前記情報通信端末の読み取り部に前記ブラウザ端末に表示された前記Ｗｅｂページが有するコード情報を読み取らせて、前記端末特定コードと前記ＵＲＬと前記入力に関する情報とを取得する、
（１）又は（２）に記載のＷｅｂページへの入力方法。
【００１３】
本発明のこのような構成によれば、ブラウザ端末に表示されたコード情報を情報通信端末が読み取るという簡易な方法、情報通信端末は、ブラウザ端末の情報を読み取ることができる。
【００１４】
（４）  前記取得するステップが、通信ネットワークを介して接続された前記ブラウザ端末から通信によって、前記端末特定コードと前記ＵＲＬと前記入力に関する情報とを取得する、
（１）又は（２）に記載のＷｅｂページへの入力方法。
【００１５】
本発明のこのような構成によれば、ブラウザ端末から、例えば、無線通信等のように通信ネットワークを介して接続することで、情報通信端末は、ブラウザ端末の情報を読み取ることができる。
【００１６】
（５）  前記取得するステップが、前記情報通信端末の読み取り部に前記ブラウザ端末に表示された前記Ｗｅｂページが有するコード情報を読み取らせて前記端末特定コードと前記ＵＲＬとを取得し、さらに取得した前記ＵＲＬが示す前記Ｗｅｂサーバに接続して前記入力に関する情報を取得する、
（１）又は（２）に記載のＷｅｂページへの入力方法。
【００１７】
（６）  前記取得するステップが、通信ネットワークを介して接続された前記ブラウザ端末から通信によって前記端末特定コードと前記ＵＲＬとを取得し、さらに取得した前記ＵＲＬが示す前記Ｗｅｂサーバに接続して前記入力に関する情報を取得する、
（１）又は（２）に記載のＷｅｂページへの入力方法。
【００１８】
本発明のこのような構成によれば、情報通信端末は、ブラウザ端末に表示され、又はブラウザ端末から通信により、ブラウザ端末の一部の情報を取得し、さらに、取得した情報からＷｅｂサーバに対して通信して、入力に関する情報を取得することができる。このように、情報通信端末は、ブラウザ端末とＷｅｂサーバとによりブラウザ端末の情報を読み取ることができる。
【００１９】
（７）  Ｗｅｂページを表示するブラウザ端末と、情報通信端末とに対して通信可能に接続され、Ｗｅｂページの情報を記憶するＷｅｂサーバであって、
前記ブラウザ端末を特定する端末特定コードと、前記ブラウザ端末の宛先情報とを対応付けて記憶した記憶手段と、
ユーザからの入力を受付可能な所定のＷｅｂページの要求データを前記ブラウザ端末から受信したことに応じて、前記ブラウザ端末を特定する端末特定コードと、前記情報通信端末で前記入力を受け付けさせるＷｅｂページのＵＲＬとを含む情報付きＷｅｂページを生成する情報付きＷｅｂページ生成手段と、
前記情報付きＷｅｂページ生成手段により生成された前記情報付きＷｅｂページを前記ブラウザ端末に送信する情報付きＷｅｂページ送信手段と、
前記入力を受け付けさせるＷｅｂページのＵＲＬに接続した前記情報通信端末から、前記端末特定コードと、前記Ｗｅｂページで入力された入力情報とを受信する受信手段と、
前記受信手段により受信した前記端末特定コードに基づいて前記記憶手段を参照して対応する前記ブラウザ端末の宛先情報から前記ブラウザ端末の宛先を特定する宛先特定手段と、
前記受信手段により受信した前記入力情報に基づいて入力後のＷｅｂページを生成して、前記宛先特定手段により特定した前記ブラウザ端末の宛先に対して前記入力後のＷｅｂページを送信するＷｅｂページ送信手段と、
を備えるＷｅｂサーバ。
【００２０】
（８）  Ｗｅｂページを表示するブラウザ端末と、情報通信端末とが、前記Ｗｅｂページを前記ブラウザ端末に送信するＷｅｂサーバに対して通信可能に接続されたＷｅｂシステムであって、
前記ブラウザ端末は、入力に関する情報を有する前記Ｗｅｂページを表示する表示手段を備え、
前記情報通信端末は、
前記ブラウザ端末を特定する端末特定コードと前記ＷｅｂページのＵＲＬと前記入力に関する情報とを前記ブラウザ端末から取得する情報取得手段と、
前記情報取得手段により取得した前記入力に関する情報に対応する入力支援項目を表示する表示手段と、
前記表示手段に表示された前記入力支援項目に対応する入力を受け付ける入力受付手段と、
前記入力受付手段により受け付けた前記入力支援項目に対応する入力情報と、前記情報取得手段により取得した前記端末特定コードとを、前記情報取得手段により取得した前記ＵＲＬが示す前記Ｗｅｂサーバに送信する情報送信手段と、
を備え、
前記Ｗｅｂサーバは、
前記端末特定コードと、前記ブラウザ端末の宛先情報とを対応付けて記憶した記憶手段と、
前記情報通信端末から受信した前記端末特定コードに基づいて前記記憶手段を参照して対応する前記ブラウザ端末の宛先情報から前記ブラウザ端末の宛先を特定する宛先特定手段と、
前記情報通信端末から受信した前記入力情報に基づいて入力後のＷｅｂページを生成して、前記宛先特定手段により特定した前記ブラウザ端末の宛先に対して前記入力後のＷｅｂページを送信するＷｅｂページ送信手段と、
を備えるＷｅｂシステム。
【発明の効果】
【００２１】
本発明によれば、ブラウザ端末に表示されたＷｅｂページの入力を、情報通信端末で行って、ブラウザ端末にその入力結果を表示させるという新しい入力方法を提供できる。そして、情報通信端末で入力するので、情報通信端末の入力インタフェースに慣れたユーザの入力を容易にでき、ブラウザ端末で入力しないので、入力された文字を記録して悪用するキーロガー対策にもなる。
【図面の簡単な説明】
【００２２】
【図１】第１実施形態に係るＷｅｂシステムの機能構成を示す図である。
【図２】第１実施形態に係るＷｅｂサーバのハードウェア構成を示す図である。
【図３】第１実施形態に係るフローチャートである。
【図４】第１実施形態に係るＷｅｂ端末及び携帯電話機の表示例を示す図である。
【図５】第１実施形態に係る対応テーブルの例を示す図である。
【図６】第２実施形態に係るＷｅｂシステムの機能構成を示す図である。
【図７】第２実施形態に係るフローチャートである。
【図８】第２実施形態に係る対応テーブルの例を示す図である。
【発明を実施するための形態】
【００２３】
以下、本発明を実施するための形態について図を参照しながら説明する。なお、これはあくまでも一例であって、本発明の技術的範囲はこれに限られるものではない。
【００２４】
（第１実施形態）
［Ｗｅｂシステム１００の機能構成］
図１は、第１実施形態に係るＷｅｂシステム１００の機能構成を示す図である。本実施形態は、ＷｅｂブラウザがインストールされたＷｅｂ端末２（ブラウザ端末）に、Ｗｅｂページに関するＱＲ（Ｑｕｉｃｋ  Ｒｅｓｐｏｎｓｅ）コード（登録商標）（コード情報）を表示させ、携帯電話機３（情報通信端末）がそのＱＲコードを読み取って、Ｗｅｂ端末２に代わって携帯電話機３からＷｅｂページの入力を行うものである。
【００２５】
Ｗｅｂシステム１００は、Ｗｅｂサーバ１と、Ｗｅｂ端末２と、携帯電話機３と、通信ネットワーク５とから構成される。
【００２６】
Ｗｅｂサーバ１は、Ｗｅｂページ等のＷｅｂコンテンツを記憶するサーバである。Ｗｅｂサーバ１は、制御部１０と、記憶部１５とを備える。制御部１０は、宛先特定手段１１と、Ｗｅｂページ更新手段１２と、Ｗｅｂページ送信手段１３とを備える。宛先特定手段１１は、Ｗｅｂ端末２の宛先として、例えば、ＩＰ（Ｉｎｔｅｒｎｅｔ  Ｐｒｏｔｏｃｏｌ）アドレスを特定する制御部である。ＩＰアドレスとは、ＴＣＰ（Ｔｒａｎｓｍｉｓｓｉｏｎ  Ｃｏｎｔｒｏｌ  Ｐｒｏｔｏｃｏｌ）／ＩＰネットワークに接続されたコンピュータや通信機器等の装置ごとに割り振られた識別番号をいう。ＩＰアドレスにより、Ｗｅｂシステム１００では、所望の装置にデータを送信することができる。Ｗｅｂページ更新手段１２は、携帯電話機３から送信された情報を用いて、入力後のＷｅｂページを生成する制御部である。Ｗｅｂページ送信手段１３は、入力後のＷｅｂページをＷｅｂ端末２に送信する制御部である。記憶部１５は、Ｗｅｂページ記憶部１６と、対応テーブル１７とを備える。Ｗｅｂページ記憶部１６は、複数のＷｅｂページを記憶するＷｅｂページのデータベースである。対応テーブル１７は、Ｗｅｂ端末２等の装置を特定するデバイスＩＤと、Ｗｅｂ端末２等の装置の宛先であるＩＰアドレスとを対応付けたテーブルである。
【００２７】
Ｗｅｂサーバ１は、ハードウェアの数に制限はなく、必要に応じて１又は複数のハードウェアで構成してよい。また、複数のハードウェアで構成する場合には、通信ネットワーク５を介して各ハードウェアを接続してもよい。例えば、後述する各機能ごとに別サーバとし、各サーバ間での信号の送受信により、各サーバを連携させることで、本実施形態の機能を実現してもよい。なお、本発明でいうコンピュータとは、記憶装置、制御部等を備えた情報処理装置をいう。Ｗｅｂサーバ１は、制御部１０と、記憶部１５とを備えた情報処理装置により構成された情報処理装置であり、この情報処理装置は、本発明のコンピュータの概念に含まれる。
【００２８】
Ｗｅｂ端末２は、例えば、パソコン（パーソナルコンピュータ）である。Ｗｅｂ端末２は、制御部２０と、記憶部２５と、モニタ２８とを備える。記憶部２５は、Ｗｅｂページを閲覧するためのアプリケーションソフトであるブラウザ２６を記憶している。モニタ２８は、ブラウン管表示装置（ＣＲＴ）、液晶表示装置（ＬＣＤ）等のディスプレイ装置である。
【００２９】
携帯電話機３は、制御部３０と、記憶部３５と、操作ボタン３７と、モニタ３８と、リーダ部３９（読み取り部）とを備える。制御部３０は、情報取得手段３１と、表示制御手段３２と、入力受付手段３３と、情報送信手段３４とを備える。情報取得手段３１は、Ｗｅｂ端末２のモニタ２８に表示されているＷｅｂページの情報を取得する制御部である。表示制御手段３２は、モニタ３８に入力支援項目を表示させる制御部である。入力受付手段３３は、操作ボタン３７を用いたユーザによる入力を受け付ける制御部である。情報送信手段３４は、入力受付手段３３で受け付けた情報をＷｅｂサーバ１に送信する制御部である。記憶部３５は、アプリケーションプログラム３６を記憶する。アプリケーションプログラム３６は、携帯電話機３の制御部３０が、Ｗｅｂ端末２のモニタ２８に表示されたＱＲコードを読み取り、入力支援項目を表示させ、入力支援項目に対応する入力情報をＷｅｂサーバ１に送信するといった、本発明のＷｅｂページへの入力を行うための一連の操作を実行するプログラムである。操作ボタン３７は、携帯電話機３への入力を行う装置である。モニタ３８は、液晶表示装置（ＬＣＤ）等のディスプレイ装置である。リーダ部３９は、携帯電話機３の、例えば、カメラを用いてＷｅｂ端末２のモニタ２８に表示されたＱＲコードを撮影することで、ＱＲコードの情報を読み取る装置である。
【００３０】
通信ネットワーク５は、例えば、ＴＣＰ／ＩＰプロトコルを用いた通信を行うものであり、有線であっても無線でもよい。また、通信ネットワーク５は、Ｗｅｂサーバ１とＷｅｂ端末２との間及びＷｅｂサーバ１と携帯電話機３との間でデータの送受信を行うことができればよい。
【００３１】
［Ｗｅｂサーバ１のハードウェア構成図］
図２は、第１実施形態に係るＷｅｂサーバ１のハードウェア構成を示す図である。本発明が実施される処理装置は、標準的なものでよく、以下に、構成の一例を示す。
【００３２】
Ｗｅｂサーバ１は、制御部１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ（Ｉ／Ｆ：インタフェース）１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６、並びに半導体メモリ１０７８を備える。なお、ハードディスク１０７４、光ディスクドライブ１０７６、並びに半導体メモリ１０７８は、まとめて記憶装置と呼び、記憶部１５を構成する。
【００３３】
ＣＰＵ１０１０は、Ｗｅｂサーバ１を統括的に制御する部分であり、ハードディスク１０７４に記憶された各種プログラムを適宜読み出して実行することにより、上述したハードウェアと協働し、本発明に係る各種機能を実現している。
【００３４】
通信Ｉ／Ｆ１０４０は、Ｗｅｂサーバ１が、通信ネットワーク５を介してＷｅｂ端末２や携帯電話機３に対して情報を送受信する場合のネットワークアダプタである。通信Ｉ／Ｆ１０４０は、モデム、ケーブルモデム及びイーサネット（登録商標）アダプタを含んでよい。
【００３５】
ＢＩＯＳ１０６０は、Ｗｅｂサーバ１の起動時にＣＰＵ１０１０が実行するブートプログラムや、Ｗｅｂサーバ１のハードウェアに依存するプログラム等を記録する。
【００３６】
表示装置１０２２は、ブラウン管表示装置（ＣＲＴ）、液晶表示装置（ＬＣＤ）等のディスプレイ装置を含む。
【００３７】
Ｉ／Ｏコントローラ１０７０には、ハードディスク１０７４、光ディスクドライブ１０７６、及び半導体メモリ１０７８等の記憶装置を接続することができる。
【００３８】
入力装置１１００は、Ｗｅｂサーバ１の管理者による入力の受け付けを行うものである。
【００３９】
ハードディスク１０７４は、本ハードウェアをＷｅｂサーバ１として機能させるための各種プログラム、本発明の機能を実行するプログラム等を記憶する。なお、Ｗｅｂサーバ１は、外部に別途設けたハードディスク（図示せず）を外部記憶装置として利用することもできる。
【００４０】
光ディスクドライブ１０７６としては、例えば、ＤＶＤ−ＲＯＭドライブ、ＣＤ−ＲＯＭドライブ、ＤＶＤ−ＲＡＭドライブ、ＢＤ（Ｂｌｕ−ｒａｙ（登録商標）  Ｄｉｓｃ）ドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００４１】
［Ｗｅｂ端末２及び携帯電話機３のハードウェア構成］
Ｗｅｂ端末２及び携帯電話機３も、上述のＷｅｂサーバ１と同様な構成を持つ。携帯電話機３において、例えば、入力装置１１００は、キーボード及びマウスに代えて操作ボタン３７であってもよい。また、携帯電話機３は、ＱＲコードを読み取るリーダ部３９であるカメラを有することができる。
【００４２】
［処理の説明］
次に、本実施形態を実現するための処理について説明する。図３は、第１実施形態に係るフローチャートである。図４は、第１実施形態に係るＷｅｂ端末２及び携帯電話機３の表示例を示す図である。図５は、第１実施形態に係る対応テーブル１７の例を示す図である。
【００４３】
図３のＳ１：Ｗｅｂ端末２の制御部２０は、ブラウザ２６を起動してＷｅｂブラウザを立ち上げ、Ｗｅｂサーバ１に記憶されたＷｅｂページのＵＲＬを指定する。そうすることで、制御部２０は、Ｗｅｂサーバ１に対してＷｅｂページの要求データを送信する。Ｗｅｂページの要求データは、ＷｅｂページのＵＲＬの他、Ｗｅｂ端末２のデバイスＩＤ（端末特定コード）を含む。ここで、デバイスＩＤとは、装置ごとに一意に定まる記号であり、例えば、Ｗｅｂ端末２のＭＡＣ（Ｍｅｄｉａ  Ａｃｃｅｓｓ  Ｃｏｎｔｒｏｌ）アドレスをいう。
【００４４】
Ｓ２：Ｗｅｂサーバ１の制御部１０は、Ｗｅｂページの要求データを受信する。そして、制御部１０は、要求対象のＷｅｂページをＷｅｂページ記憶部１６から抽出する。
【００４５】
Ｓ３：制御部１０（情報付きＷｅｂページ生成手段）は、抽出したＷｅｂページにＱＲコードを付加した、ＱＲコード付きのＷｅｂページを生成する。ＱＲコードは、２次元コードの一種であり、パターンが格子状になっているマトリックス型のコードである。ＱＲコードは、そのコード情報として、Ｗｅｂページの要求データの送信元であるＷｅｂ端末２のデバイスＩＤと、生成したＱＲコード付きのＷｅｂページのＵＲＬとを含む。なお、ＱＲコードは、例えば、携帯電話機３の種類で異なる場合には、携帯電話機３の種類ごとに複数用意してもよい。
【００４６】
Ｓ４：Ｗｅｂサーバ１の制御部１０（情報付きＷｅｂページ送信手段）は、ＱＲコード付きのＷｅｂページを、Ｗｅｂページのリクエスト元であるＷｅｂ端末２に送信する。
【００４７】
Ｓ５：Ｗｅｂ端末２の制御部２０は、Ｗｅｂサーバ１から受信したＱＲコード付きのＷｅｂページをモニタ２８に表示する。
【００４８】
ここで、図４（ａ）に、Ｗｅｂ端末２のモニタ２８に表示されたＱＲコード付きのＷｅｂページ５０を示す。Ｗｅｂページ５０は、入力ウィンドウ５１と、ボタン５２と、リンク部５３と、２つのＱＲコード５４，５５とから構成されている。入力ウィンドウ５１は、検索キーワードを入力するための文字情報の入力領域であり、テキストボックスで示されている。ユーザが、入力ウィンドウ５１に検索キーワードを入力した後、ボタン５２を選択することで、制御部２０は、入力ウィンドウ５１に入力された検索キーワードをＷｅｂサーバ１に送信する。リンク部５３は、複数のハイパーリンクを有している。ユーザが、リンク部５３に有する複数のハイパーリンクのうちの１つを選択することで、制御部２０は、選択されたハイパーリンクのリンク先に遷移して、遷移先のＷｅｂページを表示する。ＱＲコード５４は、入力ウィンドウ５１に対応する情報を有するコードである。ＱＲコード５５は、リンク部５３に対応する情報を有するコードである。
【００４９】
図３に戻って、Ｓ６：携帯電話機３の制御部３０は、アプリケーションプログラム３６を起動する。
【００５０】
Ｓ７：制御部３０は、Ｗｅｂ端末２のモニタ２８に表示されたＱＲコード付きのＷｅｂページのＱＲコード５４，５５のうちの１つを、リーダ部３９を介して読み取る。図４（ｂ）は、携帯電話機３がＱＲコード５４を読み取っている態様を示す。
【００５１】
図３に戻って、Ｓ８：制御部３０（情報取得手段３１）は、読み取ったＱＲコード５４から各種の情報を取得する。ＱＲコード５４に含む取得する各種の情報とは、Ｗｅｂ端末２のデバイスＩＤと、モニタ２８に表示されているＱＲコード付きのＷｅｂページのＵＲＬとをいう。制御部３０（情報取得手段３１）は、さらに、取得したＱＲコード付きのＷｅｂページのＵＲＬに基づいてＷｅｂサーバ１に対して接続して、そのＷｅｂページの入力項目の情報を取得する。
【００５２】
Ｓ９：制御部３０（表示制御手段３２）は、入力ページ６０をモニタ３８に出力する。
【００５３】
図４（ｃ）は、携帯電話機３のモニタ３８に表示された入力ページ６０である。入力ページ６０は、図４（ａ）のＱＲコード５４を読み取り、Ｗｅｂサーバ１に対して通信を行ったことで表示される。入力ページ６０は、ＵＲＬ６１と、指示部６２と、入力部６３と、ボタン６４とからなる。ＵＲＬ６１は、図４（ａ）のＷｅｂページ５０のＵＲＬであり、図３のＳ８で取得したものである。指示部６２は、携帯電話機３のユーザに対する指示を表示する。入力部６３は、操作ボタン３７を介して文字を入力する入力領域である。ボタン６４は、入力部６３に入力した状態で選択することで、入力部６３に入力した文字情報をそのままＷｅｂサーバ１に送信するボタンである。指示部６２、入力部６３及びボタン６４は、図３のＳ８で取得した入力項目の情報に対応する入力支援項目である。
【００５４】
図３に戻って、Ｓ１０：制御部３０（入力受付手段３３）は、操作ボタン３７を介してユーザからの入力を受け付ける。そして、制御部３０（情報送信手段３４）は、受け付けた入力の情報（入力情報）を、Ｗｅｂ端末２のデバイスＩＤと共にＷｅｂサーバ１に送信する。
【００５５】
このように、Ｗｅｂシステム１００は、携帯電話機３がＷｅｂ端末２に表示されたＱＲコード５４を読み取るという簡易な方法で、Ｗｅｂ端末２に代わって携帯電話機３が容易に入力を行うことができる。
【００５６】
Ｓ１１：Ｗｅｂサーバ１の制御部１０（受信手段）は、携帯電話機３から送信された入力情報とＷｅｂ端末２のデバイスＩＤとを受信する。
【００５７】
Ｓ１２：制御部１０（宛先特定手段１１）は、Ｗｅｂ端末２のアドレスを特定する。Ｗｅｂ端末２のアドレスの特定は、対応テーブル１７により行う。
【００５８】
対応テーブル１７について、図５に基づき説明する。図５の対応テーブル１７は、Ｗｅｂサーバ１に対して通信を行う各種装置に関して、デバイスＩＤ１７ａとＩＰアドレス１７ｂとを対応付けて記憶したテーブルである。デバイスＩＤ１７ａには、デバイスＩＤとして装置を一意に表す、例えば、装置のＭＡＣアドレスを格納する。ＩＰアドレス１７ｂには、装置のＩＰアドレスを格納する。
【００５９】
図３に戻って、Ｓ１３：制御部１０（Ｗｅｂページ更新手段１２）は、入力情報を用いて入力後のＷｅｂページを生成する。
【００６０】
Ｓ１４：制御部１０（Ｗｅｂページ送信手段１３）は、生成された入力後のＷｅｂページを、アドレスを特定したＷｅｂ端末２の宛先に送信する。
【００６１】
Ｓ１５：Ｗｅｂ端末２の制御部２０は、Ｗｅｂサーバ１から受信した入力後のＷｅｂページをモニタ２８に表示する。
【００６２】
図４（ｄ）は、入力後のＷｅｂページ７０を示す。図４（ｃ）において、入力部６３に「いちご」と入力した状態でボタン６４が選択されたことで、図３のＳ１３で、制御部２０は、検索キーワード「いちご」に対する検索処理を行って、検索結果のページを生成する。そして、図３のＳ１５で、制御部２０は、検索キーワード「いちご」に対する検索結果のページであるＷｅｂページ７０を出力する。
【００６３】
このように、Ｗｅｂ端末２を用いて検索キーワードを入力することなく、代わって携帯電話機３で検索キーワードを入力してＷｅｂサーバ１に送信することで、Ｗｅｂ端末２のモニタ２８に検索結果を表示する。よって、Ｗｅｂ端末２からの入力操作を行わないので、入力された文字列がＷｅｂ端末２に記録されない。よって、Ｗｅｂシステム１００は、入力された文字列を記録して悪用するキーロガーに対して有効である。
【００６４】
（第２実施形態）
第１実施形態では、携帯電話機のユーザを特定せずにＷｅｂ端末に表示されたＷｅｂページの入力を携帯電話機を用いるものを説明した。第２実施形態では、Ｗｅｂ端末のＷｅｂページの入力を、Ｗｅｂサーバに対してユーザを認証した携帯電話機を用いるものである。また、ＱＲコードにＷｅｂページの入力項目の情報を有する。
【００６５】
なお、以降の説明において、上述した第１実施形態と同様の機能を果たす部分には、同一の符号又は末尾に同一の符号を付して、重複する説明を適宜省略する。
【００６６】
［Ｗｅｂシステム２００の機能構成］
図６は、第２実施形態に係るＷｅｂシステム２００の機能構成を示す図である。Ｗｅｂシステム２００は、Ｗｅｂサーバ２０１と、Ｗｅｂ端末２と、携帯電話機２０３と、通信ネットワーク５とから構成される。
【００６７】
Ｗｅｂサーバ２０１は、制御部２１０と、記憶部２１５とを備える。制御部２１０は、新たにユーザ認証手段２１１Ａと、認証結果送信手段２１１Ｂとを備える。ユーザ認証手段２１１Ａは、携帯電話機２０３から送信されたユーザＩＤ（ユーザ特定情報）に基づいて、携帯電話機２０３のユーザを認証する制御部である。認証結果送信手段２１１Ｂは、ユーザ認証手段２１１Ａがユーザを認証した際の認証結果を、送信元の携帯電話機２０３に送信する制御部である。また、宛先特定手段２１１Ｃは、対応テーブル２１７を参照して宛先を特定する。対応テーブル２１７は、記憶部２１５に記憶されており、ユーザＩＤに、Ｗｅｂ端末２等の装置を特定するデバイスＩＤとＷｅｂ端末２等の装置のＩＰアドレスとを対応付けたテーブルである。
【００６８】
携帯電話機２０３は、制御部２３０と記憶部２３５とを備える。制御部２３０は、新たに認証依頼手段２３１Ｂを備える。認証依頼手段２３１Ｂは、Ｗｅｂサーバ２０１に対して携帯電話機２０３のユーザのユーザＩＤを送信する制御部である。また、情報取得手段２３１Ａは、Ｗｅｂ端末２のモニタ２８に表示されているＷｅｂページの情報を取得する制御部である。情報送信手段２３４は、認証結果が認証成功であった場合に、入力受付手段３３で受け付けた入力情報をＷｅｂサーバ２０１に送信する。記憶部２３５は、アプリケーションプログラム２３６を記憶する。アプリケーションプログラム２３６は、携帯電話機３のユーザ認証のための処理を含み、本発明のＷｅｂページへの入力を行うための一連の操作を実行するプログラムである。
【００６９】
［処理の説明］
次に、本実施形態を実現するための処理について説明する。図７は、第２実施形態に係るフローチャートである。図８は、第２実施形態に係る対応テーブル２１７の例を示す図である。
【００７０】
図７のＳ１、Ｓ２：図３と同様である。
【００７１】
Ｓ３１：制御部２１０（情報付きＷｅｂページ生成手段）は、抽出したＷｅｂページにＱＲコードを付加した、ＱＲコード付きのＷｅｂページを生成する。ＱＲコードは、そのコード情報として、Ｗｅｂページの要求データの送信元であるＷｅｂ端末２のデバイスＩＤと、生成したＱＲコード付きのＷｅｂページのＵＲＬとの他に、そのＷｅｂページの入力項目の情報（Ｗｅｂページの入力に関する情報）を含む。
【００７２】
図７のＳ４〜Ｓ７：図３と同様である。
【００７３】
Ｓ８１：制御部２３０（情報取得手段２３１Ａ）は、読み取ったＱＲコード５４（図４参照）から各種の情報を取得する。ＱＲコード５４に含む取得する各種の情報とは、Ｗｅｂ端末２のデバイスＩＤと、モニタ２８（図６）に表示されているＱＲコード付きのＷｅｂページのＵＲＬと、入力項目の情報とをいう。このように、ＱＲコードに入力項目の情報を有することで、Ｗｅｂシステム２００は、携帯電話機２０３がＷｅｂサーバ２０１に対して通信して入力項目の情報を取得する処理を行うことなく、携帯電話機２０３に簡易に入力支援項目を表示させることができる。
【００７４】
図７のＳ９：図３と同様である。
【００７５】
Ｓ１０１：携帯電話機２０３の制御部２３０（入力受付手段３３）は、操作ボタン３７を介してユーザからの入力を受け付ける。ここで、ユーザからの入力は、ユーザを特定するユーザＩＤの入力を含む。
【００７６】
Ｓ１０２：携帯電話機２０３の制御部２３０（認証依頼手段２３１Ｂ）は、Ｗｅｂサーバ２０１に対してユーザＩＤを送信してユーザ認証を依頼する。
【００７７】
Ｓ１０３：Ｗｅｂサーバ２０１の制御部２１０（ユーザ認証手段２１１Ａ）は、受信したユーザＩＤに基づいてユーザ認証を行う。
【００７８】
Ｓ１０４：Ｗｅｂサーバ２０１の制御部２１０（認証結果送信手段２１１Ｂ）は、ユーザ認証の結果情報を携帯電話機２０３に送信する。
【００７９】
Ｓ１０５：携帯電話機２０３の制御部２３０（情報送信手段２３４）は、Ｗｅｂサーバ２０１から受信した認証結果が認証成功であったか否かを判定する。認証結果が認証成功であった場合（Ｓ１０５：ＹＥＳ）には、制御部２３０は、受け付けた入力の情報（入力情報）を、ユーザＩＤ及びデバイスＩＤと共にＷｅｂサーバ２０１に送信する。他方、認証結果が認証失敗であった場合（Ｓ１０５：ＮＯ）には、制御部２３０は、本処理を終了する。
【００８０】
Ｓ１１１：Ｗｅｂサーバ２０１の制御部２１０は、携帯電話機２０３から送信された入力情報と、ユーザＩＤと、Ｗｅｂ端末２のデバイスＩＤとを受信する。
【００８１】
Ｓ１２１：制御部２１０（宛先特定手段２１１Ｃ）は、Ｗｅｂ端末２のアドレスを特定する。Ｗｅｂ端末２のアドレスの特定は、対応テーブル２１７により行う。
【００８２】
対応テーブル２１７について、図８に基づき説明する。図８の対応テーブル２１７は、ユーザＩＤ２１７ｕごとに、デバイスＩＤ２１７ａとＩＰアドレス２１７ｂとを対応付けて記憶したテーブルである。よって、制御部２１０は、受信したユーザＩＤに一致するものが対応テーブル２１７のユーザＩＤ２１７ｕに存在し、そのユーザＩＤに対応するデバイスＩＤ２１７ａに、受信したデバイスＩＤに一致するものが存在したときに、Ｗｅｂ端末２のアドレスを特定できる。
【００８３】
Ｓ１３〜Ｓ１５：図３と同様である。
【００８４】
このように、Ｗｅｂシステム２００は、携帯電話機２０３からユーザ認証を行うことで、ユーザ認証が認証成功の場合にのみ、携帯電話機２０３がＷｅｂ端末２を代行することができる。そして、Ｗｅｂシステム２００は、ユーザＩＤに対応したデバイスＩＤを対応テーブル２１７に有する場合にのみ、Ｗｅｂ端末２に入力後のＷｅｂページを送信することができる。結果として、Ｗｅｂシステム２００は、ユーザＩＤによる認証を行うことで、セキュリティを向上させることができる。
【００８５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００８６】
（変形形態）
各実施形態では、Ｗｅｂ端末としてパソコンを、情報通信端末として携帯電話機を用いる例で説明したが、Ｗｅｂ端末は、ブラウザがインストールされてＷｅｂページが見れるものであれば、テレビ等であってもよい。また、情報通信端末は、アプリケーションプログラムをインストールしておいて、入力操作がしやすい端末であればどのような端末であってもよい。また、情報通信端末へのアプリケーションプログラムのインストールは、予め行わせてもよいし、ＱＲコードを読み取ることで、インストールさせる仕組みであってもよい。
【００８７】
各実施形態では、Ｗｅｂ端末にＱＲコードを表示して、携帯電話機がＱＲコードを読み取ることでＷｅｂ端末から各種の情報を取得する例を示したが、これに限定されない。Ｗｅｂ端末に他の二次元コードやバーコード等のコードを表示して、携帯電話機がＱＲコードを読み取ることで各種の情報を取得してもよい。また、Ｗｅｂ端末にコード情報を表示せずに、例えば、赤外線通信やＢｌｕｅｔｏｏｔｈ等による短距離無線通信等の通信によって情報を取得してもよい。
【符号の説明】
【００８８】
１，２０１  Ｗｅｂサーバ
２    Ｗｅｂ端末
３，２０３  携帯電話機
５    通信ネットワーク
１０，２０，３０，２１０，２３０  制御部
１１，２１１Ｃ  宛先特定手段
１２  Ｗｅｂページ更新手段
１３  Ｗｅｂページ送信手段
１５，２５，３５，２１５，２３５  記憶部
１７，２１７  対応テーブル
２８，３８  モニタ
３１，２３１Ａ  情報取得手段
３２  表示制御手段
３３  入力受付手段
３４，２３４  情報送信手段
３６，２３６  アプリケーションプログラム
５０，７０  Ｗｅｂページ
５１  入力ウィンドウ
５３  リンク部
５４，５５  ＱＲコード
１００，２００  Ｗｅｂシステム
２１１Ａ  ユーザ認証手段
２１１Ｂ  認証結果送信手段
２３１Ｂ  認証依頼手段
【図１】
2010250740.tif 000003
【図２】
2010250740.tif 000004
【図３】
2010250740.tif 000005
【図４】
2010250740.tif 000006
【図５】
2010250740.tif 000007
【図６】
2010250740.tif 000008
【図７】
2010250740.tif 000009
【図８】
2010250740.tif 000010